【事件の表示】
　特願２０１３−５５４４０４「搬送波集積技術を使用する無線通信システムにおける副搬送波の不活性化方法及び装置」拒絶査定不服審判事件〔平成２４年　８月３０日国際公開、ＷＯ２０１２／１１５４１９、平成２６年　４月２４日国内公表、特表２０１４−５１０４６２〕について、次のとおり審決する。
【結　論】
　本件審判の請求は、成り立たない。
【理　由】
第１　手続の経緯 
　本願は，２０１２年（平成２４年）２月２１日（パリ条約による優先権主張　外国庁受理　２０１１年２月２１日　米国）を国際出願日とする出願であって，その手続の経緯は以下のとおりである。 
  
平成２８年　１月１８日付け　拒絶理由通知書 
平成２８年　５月　２日　　　意見書，及び手続補正書の提出 
平成２８年１０月１９日付け　拒絶理由通知書 （最後）
平成２９年　１月２４日　　　意見書，及び手続補正書の提出
平成２９年　６月１３日付け　平成２９年１月２４日にされた手続補正に
　　　　　　　　　　　　　　ついての補正の却下の決定，及び拒絶査定 
平成２９年１０月１９日　　　拒絶査定不服審判の請求，及び手続補正書の　　　　　　　　　　　　　　提出
平成３０年１２月１０日付け　拒絶理由通知書
平成３１年　３月１５日　　　意見書，及び手続補正書の提出
第２　本願発明
　本願の請求項に係る発明は，平成３１年３月１５日に手続補正された特許請求の範囲の請求項１ないし１０に記載された事項により特定されるものであるところ，その請求項１は以下のとおりである。
「無線通信システムの端末における信号の送受信方法において，
　基地局からＳＣｅｌｌ（ｓｅｃｏｎｄａｒｙ　ｃｅｌｌ）を活性化するための第１情報を受信する段階と，
　前記ＳＣｅｌｌを活性化する段階と，
　前記ＳＣｅｌｌと関連したタイマーを開始する段階と，
　前記活性化されたＳＣｅｌｌのための第２情報が前記基地局から受信されると，前記ＳＣｅｌｌと関連したタイマーを再開始する段階と，
　前記タイマーが満了する場合，前記ＳＣｅｌｌ上で物理的ダウンリンク制御チャネル（ｐｈｙｓｉｃａｌ　ｄｏｗｎｌｉｎｋ　ｃｏｎｔｒｏｌ　ｃｈａｎｎｅｌ，ＰＤＣＣＨ）のモニタリングを中断し，前記タイマーが満了し，既に設定されたサブフレームの以降，前記ＳＣｅｌｌと関連したプレコーダータイプ指示子（ｐｒｅｃｏｄｅｒ　ｔｙｐｅ　ｉｎｄｉｃａｔｉｏｎ，ＰＴＩ）報告を中断する段階とを含み，
　前記第１情報は，１つの予約ビットと７個のＣｉビットを含む８ビットサイズのＭＡＣ（ｍｅｄｉｕｍ　ａｃｃｅｓｓ　ｃｏｎｔｒｏｌ）　ＣＥ（ｃｏｎｔｒｏｌ　ｅｌｅｍｅｎｔ）であり，前記Ｃｉビットにおいてｉ値は０〜７に設定され，前記ｉ値は，前記端末に設定された前記ＳＣｅｌｌの識別子に対応し，
　前記タイマーの長さは少なくとも１つのフレーム数に対応し，前記フレーム数は無線リソース制御（ｒａｄｉｏ　ｒｅｓｏｕｒｃｅ　ｃｏｎｔｒｏｌ）メッセージに基づいて設定される
　ことを特徴とする信号の送受信方法。」
　ここで，上記「前記Ｃｉビットにおいてｉ値は０〜７に設定され」されるとの事項は，本願明細書の段落００１６によれば，「７個のＣフィールドのそれぞれは，Ｃ７，Ｃ６，Ｃ５，Ｃ４，Ｃ３，Ｃ２，Ｃ１（すなわち，Ｃｉ）で示されることができ」るものであるから，「前記Ｃｉビットにおいてｉ値は１〜７に設定され」るとの誤記であることは明らかである。
　したがって，請求項１に係る発明（以下，「本願発明」という。）は，以下のとおりのものと認める。
「無線通信システムの端末における信号の送受信方法において，
　基地局からＳＣｅｌｌ（ｓｅｃｏｎｄａｒｙ　ｃｅｌｌ）を活性化するための第１情報を受信する段階と，
　前記ＳＣｅｌｌを活性化する段階と，
　前記ＳＣｅｌｌと関連したタイマーを開始する段階と，
　前記活性化されたＳＣｅｌｌのための第２情報が前記基地局から受信されると，前記ＳＣｅｌｌと関連したタイマーを再開始する段階と，
　前記タイマーが満了する場合，前記ＳＣｅｌｌ上で物理的ダウンリンク制御チャネル（ｐｈｙｓｉｃａｌ　ｄｏｗｎｌｉｎｋ　ｃｏｎｔｒｏｌ　ｃｈａｎｎｅｌ，ＰＤＣＣＨ）のモニタリングを中断し，前記タイマーが満了し，既に設定されたサブフレームの以降，前記ＳＣｅｌｌと関連したプレコーダータイプ指示子（ｐｒｅｃｏｄｅｒ　ｔｙｐｅ　ｉｎｄｉｃａｔｉｏｎ，ＰＴＩ）報告を中断する段階とを含み，
　前記第１情報は，１つの予約ビットと７個のＣｉビットを含む８ビットサイズのＭＡＣ（ｍｅｄｉｕｍ　ａｃｃｅｓｓ　ｃｏｎｔｒｏｌ）　ＣＥ（ｃｏｎｔｒｏｌ　ｅｌｅｍｅｎｔ）であり，前記Ｃｉビットにおいてｉ値は１〜７に設定され，前記ｉ値は，前記端末に設定された前記ＳＣｅｌｌの識別子に対応し，
　前記タイマーの長さは少なくとも１つのフレーム数に対応し，前記フレーム数は無線リソース制御（ｒａｄｉｏ　ｒｅｓｏｕｒｃｅ　ｃｏｎｔｒｏｌ）メッセージに基づいて設定される
　ことを特徴とする信号の送受信方法。」
第３　拒絶の理由
　平成３０年１２月１０日付けで当審が通知した拒絶理由（以下，「当審拒絶理由」という。）の概要は，
　「１．この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。」
　というものであり，補正前の請求項１に対して以下の引用例１，４が引用されている。
引用例１　Samsung，SCell deactivation and CQI reporting，3GPP TSG-RAN2 meeting #73 R2-110881,[online],2011.02.14,インターネット＜URL: http://www.3gpp.org/ftp/tsg_ran/WG2_RL2/TSGR2_73/Docs/R2-110881.zip＞
引用例４　Samsung，Signalling aspects of existing LTE-A parameters,3GPP TSG-RAN2 meeting #72bis R2-110631,[online],2011.01.25,インターネット＜URL: http://www.3gpp.org/ftp/tsg_ran/WG2_RL2/TSGR2_72bis/Docs/R2-110631.zip＞
第４　引用例等の記載及び引用発明等
１　引用例１
　当審拒絶理由で引用されたSamsung，SCell deactivation and CQI reporting，3GPP TSG-RAN2 meeting #73 R2-110881,[online],2011.02.14,インターネット＜URL: http://www.3gpp.org/ftp/tsg_ran/WG2_RL2/TSGR2_73/Docs/R2-110881.zip＞（表題の当審訳：「ＳＣｅｌｌの不活性化とＣＱＩ報告」；以下，「引用例１」という。）には以下の記載がある。（下線は当審が付与。）
（１）「5.13　Activation/Deactivation of SCells 
If the UE is configured with one or more SCells, the network may activate and deactivate the configured SCells.
The network activates and deactivates the SCell(s) by sending the Activation/Deactivation MAC control element described in 6.1.3.8. 
the UE maintains a sCellDeactivationTimer timer per configured SCell and deactivates the associated SCell upon its expiry.
The same initial timer value applies to each instance of the sCellDeactivationTimer and it is configured by RRC.
（当審訳：「５．１３　ＳＣｅｌｌの活性化／不活性化
　
ＵＥが一つ又は複数のＳＣｅｌｌで構成される場合，ネットワークは，構成されたＳＣｅｌｌを活性化及び不活性化することができる
ネットワークは，６．１．３．８において説明されている活性化／不活性化ＭＡＣ　ｃｏｎｔｒｏｌ　ｅｌｅｍｅｎｔを送信することで，ＳＣｅｌｌの活性化と不活性化を行う。
ＵＥは，構成されたＳＣｅｌｌ毎にｓＣｅｌｌＤｅａｃｔｉｖａｔｉｏｎＴｉｍｅｒタイマーを維持しており，タイマーが満了したときには，それに対応するＳＣｅｌｌを不活性化する。ＲＲＣによって構成される同じ初期のタイマー値を，各ｓＣｅｌｌＤｅａｃｔｉｖａｔｉｏｎＴｉｍｅｒのインスタンスに適用する
（２）「
The UE shall for each TTI and for each configured SCell:
　　- if 
the UE receives an Activation/Deactivation MAC control element activating the SCell
　　　　- 
activate the SCell
　　　　- 
start
the sCellDeactivationTimer associated with the SCell
（当審訳：「
ＵＥは，各ＴＴＩ毎，及び各構成されたＳＣｅｌｌ毎に：
−もし，
ＵＥがＳＣｅｌｌの活性化を行う活性化／不活性化ＭＡＣ　ｃｏｎｔｒｏｌ　ｅｌｅｍｅｎｔを受信した場合には，
　　　　−
そのＳＣｅｌｌを活性化する
　　　　−
そのＳＣｅｌｌに対応するｓＣｅｌｌＤｅａｃｔｉｖａｔｉｏｎＴｉｍｅｒを開始
（３）「
　　- else, if the UE receives an Activation/Deactivation MAC control element deactivating the SCell in subframe n; or
　　- if 
the sCellDeactivationTimer associated with the activated SCell expires in this subframe n
　　　　- 
deactivate the SCell
　　　　- stop the sCellDeactivationTimer associated with the SCell;
　　　　- 
not report CQI/PMI/RI for the SCell after subframe n+8
　　　　- flush all HARQ buffers associated with the SCell.」（３ページ２８行−３３行）
（当審訳：「
―そうでなければ，もし，ＵＥがＳＣｅｌｌの不活性化を行う活性化／不活性化ＭＡＣ　ｃｏｎｔｒｏｌ　ｅｌｅｍｅｎｔを，サブフレームｎにおいて受信した場合，又は，
　−
その活性化ＳＣｅｌｌに対応するｓＣｅｌｌＤｅａｃｔｉｖａｔｉｏｎＴｉｍｅｒがサブフレームｎで満了した場合
　　　　−
そのＳＣｅｌｌを不活性化する
　　　　−そのＳＣｅｌｌに対応したｓＣｅｌｌＤｅａｃｔｉｖａｔｉｏｎＴｉｍｅｒを停止する；
　　　　−
そのＳＣｅｌｌへのＣＱＩ／ＰＭＩ／ＲＩは，サブフレームｎ＋８以降に報告しない
　　　　−その活性化ＳＣｅｌｌに対応した，すべてのＨＡＲＱバッファを初期化する。」）
（４）「
　　- if 
PDCCH on the activated SCell indicates an uplink grant or downlink assignment
　　- if PDCCH on the Serving Cell scheduling the activated SCell indicates an uplink grant or a downlink assignment for the activated SCell:
　　　　- 
restart the sCellDeactivationTimer associated with the SCell
（当審訳：「
―もし，
その活性化ＳＣｅｌｌのＰＤＣＣＨが，上りｇｒａｎｔあるいは下りアサインメントを表す
　−その活性化ＳＣｅｌｌをスケジューリングするサービングＣｅｌｌのＰＤＣＣＨが，その活性化ＳＣｅｌｌに対する上りｇｒａｎｔあるいは下りアサインメントを表す
場合には
　　　　−
そのＳＣｅｌｌに対応するｓＣｅｌｌＤｅａｃｔｉｖａｔｉｏｎＴｉｍｅｒを再開始する
（５）「
　　- if 
the SCell is deactivated
　　　　- not transmit SRS for the SCell;
　　　　- 
not report CQI/PMI/RI for the SCell in accordance with the specified timing
　　　　- not transmit on UL-SCH for the SCell;
　　　　- 
not monitor the PDCCH of the SCell
　　　　- not follow any downlink assignments or uplink grants for the Scell.」（４ページ２行−７行）
（当審訳：「
―もし，
そのＳＣｅｌｌが不活性化された場合には
　　　　−そのＳＣｅｌｌへのＳＲＳ送信しない
　　　　−
そのＳＣｅｌｌのＣＱＩ／ＰＭＩ／ＲＩは，指定されたタイミングで報告しない
　　　　−そのＳＣｅｌｌへのＵＬ−ＳＣＨ上の送信しない；
　　　　−
そのＳＣｅｌｌのＰＤＣＣＨのモニターをしない
　　　　−そのＳＣｅｌｌに対する下りアサインメントあるいは上りｇｒａｎｔに従わない。」）
　上記記載及び当業者の技術常識を考慮すると，引用例１には，次の技術事項が記載されている。
ア　上記（１）の記載によると，ＵＥが，ネットワークとの間で信号の送受信を行うことによって，ＳＣｅｌｌの活性化／不活性化を行っていることは明らかであるから，引用例１には，ＵＥにおける信号の送受信方法が記載されているといえる。
イ　上記（１）の記載によると，ＵＥは，ネットワークから活性化／不活性化ＭＡＣ　ｃｏｎｔｒｏｌ　ｅｌｅｍｅｎｔを受信するから，上記（２）には，ネットワークからＵＥがＳＣｅｌｌの活性化を行う活性化／不活性化ＭＡＣ　ｃｏｎｔｒｏｌ　ｅｌｅｍｅｎｔを受信した場合には，そのＳＣｅｌｌを不活性化し，そのＳＣｅｌｌに対応するｓＣｅｌｌＤｅａｃｔｉｖａｔｉｏｎＴｉｍｅｒを開始することが記載されている。
ウ　上記（４）には，その活性化ＳＣｅｌｌのＰＤＣＣＨが，上りｇｒａｎｔあるいは下りアサインメントを表す場合には，そのＳＣｅｌｌに対応するｓＣｅｌｌＤｅａｃｔｉｖａｔｉｏｎＴｉｍｅｒを再開始することが記載されている。
エ　上記（３）には，その活性化ＳＣｅｌｌに対応するｓＣｅｌｌＤｅａｃｔｉｖａｔｉｏｎＴｉｍｅｒがサブフレームｎで満了した場合には，そのＳＣｅｌｌを不活性化し，そのＳＣｅｌｌへのＣＱＩ／ＰＭＩ／ＲＩは，サブフレームｎ＋８以降に報告しないことが記載され，上記（５）には，ＳＣｅｌｌが不活性化された場合には，そのＳＣｅｌｌのＣＱＩ／ＰＭＩ／ＲＩは，指定されたタイミングで報告せず，そのＳＣｅｌｌのＰＤＣＣＨのモニターをしないことが記載されているところ，上記（３）の「そのＳＣｅｌｌを不活性化」によって，上記（５）の「ＳＣｅｌｌが不活性化された場合」以降の一連の処理が行われるものであり，また，上記（３）の，ＳＣｅｌｌへのＣＱＩ／ＰＭＩ／ＲＩは，サブフレームｎ＋８以降に報告しないことと，上記（５）のＳＣｅｌｌのＣＱＩ／ＰＭＩ／ＲＩは，指定されたタイミングで報告しないこととは，それぞれの対応関係から，同じ内容を示すことは明らかであるから，引用例１には，そのＳＣｅｌｌに対応するｓＣｅｌｌＤｅａｃｔｉｖａｔｉｏｎＴｉｍｅｒがサブフレームｎで満了した場合には，そのＳＣｅｌｌへのＣＱＩ／ＰＭＩ／ＲＩは，サブフレームｎ＋８以降に報告せず，そのＳＣｅｌｌのＰＤＣＣＨのモニターをしないことが記載されているといえる。
オ　ＵＥが，活性化ＳＣｅｌｌのために，当該ＳＣｅｌｌに対するＰＤＣＣＨをモニターして，当該ＳＣｅｌｌに対するＣＱＩ／ＰＭＩ／ＲＩ報告を行うことは，当業者の技術常識である。
　そうすると，上記（５）の「そのＳＣｅｌｌのＣＱＩ／ＰＭＩ／ＲＩは，指定されたタイミングで報告しない」，及び「そのＳＣｅｌｌのＰＤＣＣＨのモニターをしない」ことは，「ＳＣｅｌｌが不活性化された場合」に行われるから，「そのＳＣｅｌｌのＣＱＩ／ＰＭＩ／ＲＩは，指定されたタイミングで報告」を中断し，「そのＳＣｅｌｌのＰＤＣＣＨのモニターを」中断することであるといえるところ，上記エのとおりであるから，引用例１には，そのＳＣｅｌｌに対応するｓＣｅｌｌＤｅａｃｔｉｖａｔｉｏｎＴｉｍｅｒがサブフレームｎで満了した場合には，そのＳＣｅｌｌへのＣＱＩ／ＰＭＩ／ＲＩは，サブフレームｎ＋８以降に中断し，そのＳＣｅｌｌのＰＤＣＣＨのモニターを中断することが記載されているといえる。
カ　上記（１）の記載によると，ｓＣｅｌｌＤｅａｃｔｉｖａｔｉｏｎＴｉｍｅｒの初期タイマー値は，ＲＲＣによって構成されるものであるといえる。
　したがって，引用例１には以下の発明（以下，「引用発明」という。）が記載されているものと認められる。
「ＵＥにおける信号の送受信方法において，
　ネットワークからＵＥがＳＣｅｌｌの活性化を行う活性化／不活性化ＭＡＣ　ｃｏｎｔｒｏｌ　ｅｌｅｍｅｎｔを受信した場合には，
　そのＳＣｅｌｌを活性化し，
　そのＳＣｅｌｌに対応するｓＣｅｌｌＤｅａｃｔｉｖａｔｉｏｎＴｉｍｅｒを開始し，
　その活性化ＳＣｅｌｌのＰＤＣＣＨが，上りｇｒａｎｔあるいは下りアサインメントを表す場合には，
　そのＳＣｅｌｌに対応するｓＣｅｌｌＤｅａｃｔｉｖａｔｉｏｎＴｉｍｅｒを再開始し，
　そのＳＣｅｌｌに対応するｓＣｅｌｌＤｅａｃｔｉｖａｔｉｏｎＴｉｍｅｒがサブフレームｎで満了した場合には，そのＳＣｅｌｌのＰＤＣＣＨのモニターを中断し，そのＳＣｅｌｌへのＣＱＩ／ＰＭＩ／ＲＩは，サブフレームｎ＋８以降に報告を中断し，
　前記ｓＣｅｌｌＤｅａｃｔｉｖａｔｉｏｎＴｉｍｅｒの初期タイマー値は，ＲＲＣによって構成される，
方法」
２　引用例４
　当審拒絶理由で引用されたSamsung，Signalling aspects of existing LTE-A parameters,3GPP TSG-RAN2 meeting #72bis R2-110631,[online],2011.01.25,インターネット＜URL: http://www.3gpp.org/ftp/tsg_ran/WG2_RL2/TSGR2_72bis/Docs/R2-110631.zip＞（表題の当審訳：「既存のLTE-Aパラメータのシグナリング態様」；以下，「引用例４」という。）には，ＲＲＣにおけるＲＲＣ　ＩＥのＭＡＣ−ＭａｉｎＣｏｎｆｉｇ　ｆｉｅｌｄｓ　ｄｅｓｃｒｉｐｔｉｏｎとして，以下の記載がある。（下線は当審が付与。）
「
sCellDeactivationTimer
SCell deactivation timer in TS 36.321 [6]. 
Value in number of radio frames. 
（当審訳：「
ｓＣｅｌｌＤｅａｃｔｉｖａｔｉｏｎＴｉｍｅｒ
　ＴＳ３６．３２１のＳＣｅｌｌ不活性化タイマー。
値は，無線フレームの数を表す。
　したがって，引用例４には，「ｓＣｅｌｌＤｅａｃｔｉｖａｔｉｏｎＴｉｍｅｒは，無線フレームの数を表すパラメータである。」との，公知技術が記載されていると認められる。
３　周知例１
　本願の優先日よりも前に利用可能となった，3GPP TS 36.213 V10.0.0 (2010-12),3GPP,[online],２０１０年１２月２２日掲載, page49-61, インターネットURL:http://www.3gpp.org/ftp/Specs/archive/36_series/36.213/36213-a00.zip（以下，「周知例１」という。）には，以下の事項が記載されている。（下線は当審が付与。）
（１）「7.2.2  Periodic CQI/PMI/RI Reporting using PUCCH
（中略）
The following 
CQI/PMI and RI reporting types 
　・Type 1 report supports CQI feedback for the UE selected sub-bands 
　・Type 1a report supports subband CQI and second PMI feedback
　・Type 2, Type 2b, and Type 2c report supports wideband CQI and PMI feedback
　・Type 2a report supports wideband PMI feedback
　・Type 3 report supports RI feedback
　・Type 4 report supports wideband CQI
　・Type 5 report supports RI and wideband PMI feedback
　・
Type 6 report supports RI and PTI feedback
」（４９ページ２行−５０ページ１８行）
（当審訳：「ＰＵＣＣＨを用いる周期的なＣＱＩ／ＰＭＩ／ＲＩ報告
（中略）
　以下の異なる周期，及びオフセットの
ＣＱＩ／ＰＭＩとＲＩ報告のタイプは
・タイプ１報告は，ＵＥが選択したサブバンドのＣＱＩフィードバックをサポートする。
・タイプ１Ａ報告は，サブバンドＣＱＩ及び第２のＰＭＩフィードバックをサポートする。
・タイプ２，タイプ２ｂ，及びタイプ２ｃ報告は，広帯域ＣＱＩ及びＰＭＩフィードバックをサポートする。
・タイプ２Ａ報告は，広帯域ＰＭＩフィードバックをサポートする。
・タイプ３報告はＲＩフィードバックをサポートする。
・タイプ４報告は広帯域ＣＱＩをサポートする。
・タイプ５報告は，ＲＩ及び広帯域ＰＭＩフィードバックをサポートする。
・
タイプ６報告は，ＲＩ及びＰＴＩフィードバックをサポートする。
」）
（２）「
o Mode 2-1 description:
　　・In the subframe where RI is reported (only for transmission mode 4, 8 and 9 if the number of ports configured for CSI reporting is 2 or 4):
　　　　・A UE shall determine a RI assuming transmission on set S subbands.
　　　　・The UE shall report a type 3 report consisting of one RI.
　　・In the subframe where RI is reported and if the number ports configured for CSI reporting exceeds 4 then for transmission mode 9:
　　　　・A UE shall determine a RI assuming transmission on set S subbands.
　　　　・
A UE shall determine a precoder type indication (PTI).
　　　　・
The UE shall report a type 6 report consisting of one RI and the PTI.
」（５５ページ２１行−３０行）
（当審訳：「
o　モード２−１記述
　　・ＲＩが報告されたサブフレームにおいて（ＣＳＩ報告用に構成されたポートの数が２又は４である場合に，送信モード４，８，あるいは９についてのみ）：
　　　　・ＵＥは，セットＳサブバンドでの送信を想定してＲＩを決定する。
　　　　・前記ＵＥは，１つのＲＩで構成されるタイプ３報告を報告する。
　　・ＲＩが報告されたサブフレーム，及びＣＳＩ報告のために設定されたポート数が４を超えることで，送信モード９用であるとき：
　　　　・ＵＥは，セットＳサブバンドでの送信を想定してＲＩを決定する。
　　　　・
ＵＥは，プレコーダ・タイプ・インディケーション（ＰＴＩ）を決定する。
　　　　・
前記ＵＥは，１つのＲＩと前記ＰＴＩから構成されるタイプ６報告を報告する。
　
　周知例１の記載を総合すると，「プレコーダ・タイプ・インディケーション（ＰＴＩ）をＣＳＩ／ＰＭＩ／ＲＩ報告で用いる。」ことは，本願の優先権主張の日より前に３ＧＰＰ標準規格で規定された周知技術であると認められる。
４　周知例２
　本願の優先日よりも前に利用可能となった，3GPP TS 36.321 V10.0.0 (2010-12),3GPP,[online],２０１０年１２月２１日掲載,page40-41,インターネットURL:http://www.3gpp.org/ftp/Specs/archive/36_series/36.321/36321-a00.zip（以下，「周知例２」という。）には，図面とともに以下の事項が記載されている。（下線は当審が付与。）
「6.1.3.8 Activation/Deactivation MAC Control Element
The Activation/Deactivation MAC control element 
It has a fixed size and consists of a single octet containing seven C-fields and one R-field.
    -
 Ci: this field indicates the activation/deactivation status of the SCell with Cell Index i as specified in [8]. The Ci field is set to 1 to indicate that the SCell with Cell Index i shall be activated. The Ci field is set to 0 to indicate that the SCell with Cell Index i shall be deactivated; 
    - 
R: Reserved bit, set to 0
 
　　Figure 6.1.3.8-1: Activation/Deactivation MAC control element
」（４０ページ１０行−４１ページ１行）
（当審訳：「６．１．３．８　活性化／不活性化ＭＡＣ　ｃｏｎｔｒｏｌ　ｅｌｅｍｅｎｔ
　
活性化／不活性化ＭＡＣ　ｃｏｎｔｒｏｌ　ｅｌｅｍｅｎｔ
７つのＣ−ｆｉｅｌｄと１つのＲ−ｆｉｅｌｄを含む，固定されたサイズで単一のオクテットから構成される。
　　−
Ｃｉ：このフィールドは，［８］に指定されているように，セルインデックスｉに対応するＳＣｅｌｌの活性化／不活性化状態を示す。セルインデックスｉに対応するＳＣｅｌｌを活性化されるべきことを示すために，Ｃｉフィールドは”１”に設定される。セルインデックスｉに対応するＳＣｅｌｌを不活性化されるべきことを示すために，Ｃｉフィールドは”０”に設定される。
　　−
Ｒ：予約ビット，”０”にセットする。
 
　図６．１．３．８−１：活性化／不活性化ＭＡＣ　ｃｏｎｔｒｏｌ　ｅｌｅｍｅｎｔ
」）
　単一オクテットは，８ビットを表すことは明らかであること，及び上記周知例２の記載から，「予約ビットである１つのＲフィールド，及び，対応するＳＣｅｌｌが活性化／不活性化されるべきことを示すビットであり，ｉが１〜７に設定される７つのＣｉフィールド，を含む８ビットで構成される活性化／不活性化ＭＡＣ　ｃｏｎｔｒｏｌ　ｅｌｅｍｅｎｔ」は，本願の優先権主張の日より前に３ＧＰＰ標準規格で規定された周知技術であると認められる。
第５　引用発明との対比
　本願発明と引用発明とを対比する。
１　引用発明の「ＵＥ」は，無線通信システムの端末であることは明らかであるから，引用発明の「ＵＥにおける信号の送受信方法」は，本願発明の「無線通信システムの端末における信号の送受信方法」に相当する。
２　ネットワークからＵＥが信号を受信することが，基地局からＵＥが信号を受信することになることは，当業者の技術常識であるから，引用発明の「ネットワークからＵＥがＳＣｅｌｌの活性化を行う活性化／不活性化ＭＡＣ　ｃｏｎｔｒｏｌ　ｅｌｅｍｅｎｔを受信」することは，基地局からＳＣｅｌｌの活性化を行う活性化／不活性化ＭＡＣ　ｃｏｎｔｒｏｌ　ｅｌｅｍｅｎｔを受信することであるといえる。
　そして，本願発明の「ＳＣｅｌｌ（ｓｅｃｏｎｄａｒｙ　ｃｅｌｌ）を活性化するための第１情報」は，ＭＡＣ（ｍｅｄｉｕｍ　ａｃｃｅｓｓ　ｃｏｎｔｒｏｌ）　ＣＥ（ｃｏｎｔｒｏｌ　ｅｌｅｍｅｎｔ）であるから，引用発明の「ＳＣｅｌｌの活性化を行う活性化／不活性化ＭＡＣ　ｃｏｎｔｒｏｌ　ｅｌｅｍｅｎｔ」は，本願発明の「ＳＣｅｌｌ（ｓｅｃｏｎｄａｒｙ　ｃｅｌｌ）を活性化するための第１情報」に相当する。
　したがって，引用発明の「ネットワークからＵＥがＳＣｅｌｌの活性化を行う活性化／不活性化ＭＡＣ　ｃｏｎｔｒｏｌ　ｅｌｅｍｅｎｔを受信」することと，本願発明とは，「基地局からＳＣｅｌｌ（ｓｅｃｏｎｄａｒｙ　ｃｅｌｌ）を活性化するための第１情報を受信する段階」で共通する。
３　引用発明の「そのＳＣｅｌｌを活性化」することは，本願発明の「前記ＳＣｅｌｌを活性化する段階」に相当する。
４　引用発明の「ｓＣｅｌｌＤｅａｃｔｉｖａｔｉｏｎＴｉｍｅｒ」は，上記「第４　１（１）」によると，ＳＣｅｌｌ毎の活性化／不活性化に関連するタイマーであるから，引用発明の「そのＳＣｅｌｌに対応するｓＣｅｌｌＤｅａｃｔｉｖａｔｉｏｎＴｉｍｅｒを開始」することと，本願発明とは，「前記ＳＣｅｌｌと関連したタイマーを開始する段階」で共通する。
５　ＵＥにおいてＰＤＣＣＨは，基地局から受信されるものであることが，技術常識である。また，活性化ＳＣｅｌｌのＰＤＣＣＨによる，ＵＬ　ｇｒａｎｔ又はＤＬ　ａｓｓｉｇｎｍｅｎｔは，活性化されたＳＣｅｌｌのための情報に含まれるから，引用発明の「その活性化ＳＣｅｌｌのＰＤＣＣＨが，上りｇｒａｎｔあるいは下りアサインメントを表す」ことは，本願発明の「前記活性化されたＳＣｅｌｌのための第２情報が前記基地局から受信」されることに含まれる。
　そして，上記４のとおりであるから，引用発明の「そのＳＣｅｌｌに対応するｓＣｅｌｌＤｅａｃｔｉｖａｔｉｏｎＴｉｍｅｒを再開始」することは，ＳＣｅｌｌと関連したタイマーを再開始することであるといえる。
　したがって，引用発明の「その活性化ＳＣｅｌｌのＰＤＣＣＨが，上りｇｒａｎｔあるいは下りアサインメントを表す場合には，そのＳＣｅｌｌに対応するｓＣｅｌｌＤｅａｃｔｉｖａｔｉｏｎＴｉｍｅｒを再開始」することと，本願発明とは，「前記活性化されたＳＣｅｌｌのための第２情報が前記基地局から受信されると，前記ＳＣｅｌｌと関連したタイマーを再開始する段階」で共通する。
６　引用発明の「そのＳＣｅｌｌへのＣＱＩ／ＰＭＩ／ＲＩ」は，そのＳＣｅｌｌへの所定の報告に含まれ，及び「サブフレームｎ＋８」は，予め設定されたサブフレームに含まれるといえるから，引用発明の「そのＳＣｅｌｌに対応するｓＣｅｌｌＤｅａｃｔｉｖａｔｉｏｎＴｉｍｅｒがサブフレームｎで満了した場合には，そのＳＣｅｌｌのＰＤＣＣＨのモニターを中断し，そのＳＣｅｌｌへのＣＱＩ／ＰＭＩ／ＲＩは，サブフレームｎ＋８以降に報告を中断」することと，本願発明とは，「前記タイマーが満了する場合，前記ＳＣｅｌｌ上で物理的ダウンリンク制御チャネル（ｐｈｙｓｉｃａｌ　ｄｏｗｎｌｉｎｋ　ｃｏｎｔｒｏｌ　ｃｈａｎｎｅｌ，ＰＤＣＣＨ）のモニタリングを中断し，前記タイマーが満了し，既に設定されたサブフレームの以降」，前記ＳＣｅｌｌと関連した所定の報告を中断する段階で共通する。
７　ＲＲＣによる構成は，無線リソース制御（ｒａｄｉｏ　ｒｅｓｏｕｒｃｅ　ｃｏｎｔｒｏｌ）メッセージを用いて設定することであることが技術常識であるところ，引用発明の「ｓＣｅｌｌＤｅａｃｔｉｖａｔｉｏｎＴｉｍｅｒの初期タイマー値」は，タイマーの長さを規定する値であることは明らかであるから，引用発明の「前記ｓＣｅｌｌＤｅａｃｔｉｖａｔｉｏｎＴｉｍｅｒの初期タイマー値は，ＲＲＣによって構成される」ことは，ｓＣｅｌｌＤｅａｃｔｉｖａｔｉｏｎＴｉｍｅｒのタイマーの長さを，ＲＲＣメッセージによって設定することであるといえる。
　そうすると，引用発明の「前記ｓＣｅｌｌＤｅａｃｔｉｖａｔｉｏｎＴｉｍｅｒの初期タイマー値は，ＲＲＣによって構成される」ことと，本願発明とは，「前記タイマーの長さ」は，「無線リソース制御（ｒａｄｉｏ　ｒｅｓｏｕｒｃｅ　ｃｏｎｔｒｏｌ）メッセージに基づいて設定される」ことで共通する。
　したがって，本願発明と引用発明とは，両者は，以下の点で一致し，また，相違している。
［一致点］
「無線通信システムの端末における信号の送受信方法において，
　基地局からＳＣｅｌｌ（ｓｅｃｏｎｄａｒｙ　ｃｅｌｌ）を活性化するための第１情報を受信する段階と，
　前記ＳＣｅｌｌを活性化する段階と，
　前記ＳＣｅｌｌと関連したタイマーを開始する段階と，
　前記活性化されたＳＣｅｌｌのための第２情報が前記基地局から受信されると，前記ＳＣｅｌｌと関連したタイマーを再開始する段階と，
　前記タイマーが満了する場合，前記ＳＣｅｌｌ上で物理的ダウンリンク制御チャネル（ｐｈｙｓｉｃａｌ　ｄｏｗｎｌｉｎｋ　ｃｏｎｔｒｏｌ　ｃｈａｎｎｅｌ，ＰＤＣＣＨ）のモニタリングを中断し，前記タイマーが満了し，既に設定されたサブフレームの以降，前記ＳＣｅｌｌと関連した所定の報告を中断する段階とを含み，
　前記タイマーの長さは，無線リソース制御（ｒａｄｉｏ　ｒｅｓｏｕｒｃｅ　ｃｏｎｔｒｏｌ）メッセージに基づいて設定される，
　ことを特徴とする信号の送受信方法。」
［相違点１］
　一致点の「前記ＳＣｅｌｌと関連した所定の報告を中断する」ことについて，本願発明は，「プレコーダータイプ指示子（ｐｒｅｃｏｄｅｒ　ｔｙｐｅ　ｉｎｄｉｃａｔｉｏｎ，ＰＴＩ）報告を中断」するのに対して，引用発明は，ＣＱＩ／ＰＭＩ／ＲＩの報告を停止する点。
［相違点２］
　一致点の「第１情報」について，本願発明は，「１つの予約ビットと７個のＣｉビットを含む８ビットサイズのＭＡＣ（ｍｅｄｉｕｍ　ａｃｃｅｓｓ　ｃｏｎｔｒｏｌ）　ＣＥ（ｃｏｎｔｒｏｌ　ｅｌｅｍｅｎｔ）であり，前記Ｃｉビットにおいてｉ値は０〜７に設定され，前記ｉ値は，前記端末に設定された前記ＳＣｅｌｌの識別子に対応」するのに対して，引用発明は，活性化／不活性化ＭＡＣ　ｃｏｎｔｒｏｌ　ｅｌｅｍｅｎｔの内容について特定していない点。
［相違点３］
　一致点のＳＣｅｌｌと関連した「タイマーの長さ」について，本願発明は，「少なくとも１つのフレーム数に対応」するのに対して，引用発明は，タイマーの長さを示すｓＣｅｌｌＤｅａｃｔｉｖａｔｉｏｎＴｉｍｅｒの初期値について，特定していない点。
第６　判断
　以下，相違点について検討する。
１　相違点１について
　上記「第５　１」のとおり，「プレコーダ・タイプ・インディケーション（ＰＴＩ）をＣＳＩ／ＰＭＩ／ＲＩ報告で用いる」ことは，３ＧＰＰ標準規格で規定された周知技術であるところ，当該ＣＳＩ／ＰＭＩ／ＲＩ報告を停止する場合には，そこで用いられているＰＴＩの報告も停止すべきことは明らかである。
　そうすると，引用発明において，プレコーダ・タイプ・インディケーション（ＰＴＩ）をＣＳＩ／ＰＭＩ／ＲＩの報告で用い，ＣＳＩ／ＰＭＩ／ＲＩの報告を停止することにともなって，ＰＴＩの報告も停止することは，格別困難なことではない。
２　相違点２について
　引用発明では，活性化／不活性化ＭＡＣ　ｃｏｎｔｒｏｌ　ｅｌｅｍｅｎｔの内容について特定されていないところ，上記「第５　２」のとおり，「予約ビットである１つのＲフィールド，及び，対応するＳＣｅｌｌが活性化／不活性化されるべきことを示すビットであり，ｉが１〜７に設定される７つのＣｉフィールド，を含む８ビットで構成される活性化／不活性化ＭＡＣ制御要素」は，３ＧＰＰ標準規格で規定された周知技術であるから，引用発明における活性化／不活性化ＭＡＣ　ｃｏｎｔｒｏｌ　ｅｌｅｍｅｎｔも，「予約ビットである１つのＲフィールド，及び，対応するＳＣｅｌｌが活性化／不活性化されるべきことを示すビットであり，ｉが１〜７に設定される７つのＣｉフィールド，を含む８ビットで構成される活性化／不活性化ＭＡＣ制御要素」であると解される。
　そうすると，引用発明の活性化／不活性化ＭＡＣ　ｃｏｎｔｒｏｌ　ｅｌｅｍｅｎｔに上記「第５　２」で述べた周知技術を用いて，「１つの予約ビットと７個のＣｉビットを含む８ビットサイズのＭＡＣ（ｍｅｄｉｕｍ　ａｃｃｅｓｓ　ｃｏｎｔｒｏｌ）　ＣＥ（ｃｏｎｔｒｏｌ　ｅｌｅｍｅｎｔ）であり，前記Ｃｉビットにおいてｉ値は１〜７に設定され，前記ｉ値は，前記端末に設定された前記ＳＣｅｌｌの識別子に対応」するものとすることは，格別困難なことではない。
３　相違点３について
　上記「第４　２」のとおり，「ＳＣｅｌｌ不活性タイマーとして用いられるｓＣｅｌｌＤｅａｃｔｉｖａｔｉｏｎＴｉｍｅｒは，無線フレームの数に対応するパラメータである。」ことは，公知技術であるから，引用発明のｓＣｅｌｌＤｅａｃｔｉｖａｔｉｏｎＴｉｍｅｒの値を，無線フレームの数に対応するパラメータとすることは，格別困難なことではない。
　したがって，引用発明において，ｓＣｅｌｌＤｅａｃｔｉｖａｔｉｏｎＴｉｍｅｒの値を，「少なくとも１つのフレーム数に対応」するものとすることは，当業者が容易に想到できたことである。
　そして，本願発明の作用効果も，引用発明，引用例４に記載された公知技術，及び周知例１，２に記載された周知技術に基づいて当業者が予測し得る範囲のものであり，格別なものではない。 
　したがって，本願発明は，引用発明，引用例４に記載された公知技術，及び周知例１，２に記載された周知技術に基づいて，当業者が容易に発明をすることができたものである。
［請求人の主張について］
　請求人は，平成３０年３月１５日に提出された意見書において，以下のとおり主張する。
「拒絶理由通知でご提示を受けている引用文献では、本願発明の上記構成に対応するＭＡＣ ＣＥの構造について何ら開示していないことは明白であり，（中略）
”ＰＴＩ”の報告を中断する特徴は、ＳＣｅｌｌを不活性化し、対応する動作を行うときに行われる動作の一つであり、引用発明と本願発明の差別性をより明確に理解することができるものと請求人は思料致します。」
　しかしながら，上記相違点の検討で述べたように，「１つの予約ビットと７個のＣｉビットを含む８ビットサイズのＭＡＣ（ｍｅｄｉｕｍ　ａｃｃｅｓｓ　ｃｏｎｔｒｏｌ）　ＣＥ（ｃｏｎｔｒｏｌ　ｅｌｅｍｅｎｔ）であり，前記Ｃｉビットにおいてｉ値は１〜７に設定され，前記ｉ値は，前記端末に設定された前記ＳＣｅｌｌの識別子に対応」すること，及び「プレコーダータイプ指示子（ｐｒｅｃｏｄｅｒ　ｔｙｐｅ　ｉｎｄｉｃａｔｉｏｎ，ＰＴＩ）報告」は，いずれも３ＧＰＰ標準規格に規定されているように周知技術であるから，引用発明において，ＭＡＣ　ｃｏｎｔｒｏｌ　ｅｌｅｍｅｎｔを，「１つの予約ビットと７個のＣｉビットを含む８ビットサイズのＭＡＣ（ｍｅｄｉｕｍ　ａｃｃｅｓｓ　ｃｏｎｔｒｏｌ）　ＣＥ（ｃｏｎｔｒｏｌ　ｅｌｅｍｅｎｔ）であり，前記Ｃｉビットにおいてｉ値は１〜７に設定され，前記ｉ値は，前記端末に設定された前記ＳＣｅｌｌの識別子に対応」することとし，「プレコーダータイプ指示子（ｐｒｅｃｏｄｅｒ　ｔｙｐｅ　ｉｎｄｉｃａｔｉｏｎ，ＰＴＩ）報告を中断」することは，格別困難なことではなく，また阻害要因はない。
　したがって，上記請求人の主張は採用できない。
第７　むすび
　以上のとおり，本願発明は，引用発明，引用例４に記載された公知技術，及び周知例１，２に記載された周知技術に基づいて，当業者が容易に想到できたものであるから，特許法第２９条第２項の規定により，特許を受けることができない。
　したがって，本願は，他の請求項について検討するまでもなく，拒絶すべきものである。
　よって，結論のとおり審決する。